(57)【要約】      （修正有）【課題】楽しみを増進でき、広く使用できる生理的マッサージ装置を提供する。【解決手段】１個の本体と、当該本体内部に設置された１個の動力源と、当該本体内部に取り付けられた１個の往復機構と、当該本体に組み込むことのできる１個のスライドユニットとからなる生理的マッサージ器であって、当該動力源は当該往復機構により当該スライドユニットを連動させて往復運動を発生させることができ、当該スライドユニットは弾力性のある柔らかいカバーを備えている。これにより、当該動力源が運転している間、当該スライドユニットの弾力性のある柔らかいカバーに直線的な往復運動を発生させることができる。【選択図】図３
0003144470.tif 000002
【実用新案登録請求の範囲】
【請求項１】
中空の胴体と、当該胴体に形成した開口部を含む本体と、
当該胴体内部に組み込まれ、かつ回転することのできる出力軸を含む動力源と、高低の起伏運動を発生させることのできる回転部を含んだピボット軸と、当該回転部と連動する連動軸とを含み、当該出力軸に連結されて回転することができるように当該胴体内にピボット係合された往復機構と、
当該胴体内部にスライド可能に設置されて当該連動軸と連結することのできる駆動部品を含み、かつ駆動部品が当該開口部から外部に露出することのできるスライドユニットと、を含む生理的マッサージ装置。
【請求項２】
当該動力源がさらに当該出力軸と連結して同時に連動することのできる連動部を含み、連動部が往復機構を作動させることを特徴とする、請求項１に記載された生理的マッサージ装置。
【請求項３】
当該動力源がさらに当該出力軸と連接するモーターを含むことを特徴とする、請求項１に記載された生理的マッサージ装置。
【請求項４】
当該動力源がさらに当該モーターと連接するバッテリパックを含むことを特徴とする、請求項3に記載された生理的マッサージ装置。
【請求項５】
当該ピボット軸がクランクシャフトであり、当該回転部が当該クランクシャフトのクランク部分に位置することを特徴とする、請求項１に記載された生理的マッサージ装置。
【請求項６】
当該ピボット軸の回転部がカムになっており、なおかつ当該スライドユニットのもう片方の側が弾性部品の制動を受けることを特徴とする、請求項１に記載された生理的マッサージ装置。
【請求項７】
当該ピボット軸の回転部がスターホイールとなっていることを特徴とする、請求項１に記載された生理的マッサージ装置。
【請求項８】
当該スライドユニットの駆動部品が、弾力性のある柔らかいカバーに連接しており、かつ当該弾力性のある柔らかいカバーが摩擦部を有し、当該摩擦部が当該本体の開口部から露出していることを特徴とする、請求項１に記載された生理的マッサージ装置。
【請求項９】
当該スライドユニットの駆動部品が柱状を呈していて、かつ弾力性のある軟質材料で作られており、その端部が当該開口部から露出していることを特徴とする、請求項１に記載された生理的マッサージ装置。
【請求項１０】
当該スライドユニットの弾力性のある柔らかいカバーが男性性器の構造を模していることを特徴とする、請求項9に記載された生理的マッサージ装置。
【請求項１１】
当該スライドユニットの駆動部品が1個の中央孔を有し、かつ当該中央孔の一端が当該開口部から外に露出していることを特徴とする、請求項1または9に記載された生理的マッサージ装置。
【請求項１２】
当該スライドユニットの弾力性のある柔らかいカバーと中央孔が組み合わさって女性性器の構造を模していることを特徴とする、請求項１1に記載された生理的マッサージ装置。
【請求項１３】
さらに当該胴体内部に設置されたスライドピースを含み、当該スライドピースが当該ピボット軸に連動され、なおかつ1個の突き出た支柱を有し、また当該スライドユニットがさらに当該支柱と結合することのできる結合孔を有することを特徴とする、請求項1に記載された生理的マッサージ装置。
【請求項１４】
さらに胴体内部の頂面と駆動部品の間に弾性部品を設置し、その動作の円滑性を増進させたことを特徴とする、請求項1に記載された生理的マッサージ装置。
【請求項１５】
さらに胴体周縁の内側表面に設置された軸方向のスライドレールを含み、駆動部品の外側周縁にこれに対応するスライドレールを形成して、そのスライドの円滑性を増進したことを特徴とする、請求項1または8または9または13または14に記載された生理的マッサージ装置。
【請求項１６】
さらに胴体周縁外側表面に軸方向に設置したスライドレールを含み、なおかつ駆動部品の弾力性のある柔らかいカバーの内側周縁にこれに対応するスライドレールを形成することでその移動の円滑性を増進したことを特徴とする、請求項1または8または13または14に記載された生理的マッサージ装置。
【考案の詳細な説明】
【技術分野】
【０００１】
本考案は生理的マッサージ装置に関するもので、特に直線方向の自動的な往復運動によって、使用者を性的に高揚させ、自ら満足させることが可能な生理的マッサージ装置を指す。
【背景技術】
【０００２】
現代人は業務多忙や心理的ストレスにより、心身共に疲労した状態にある。特に男女が密かに相対する際、もしそのうちの一方が性欲的に満足に至ることができなれば、両性の情事は往々にして形式だけの行事になってしまい、ついにはいい加減に事を済ませるようになり、だんだんと、両性間の食い違いを生じてしまう。
上述のような悩みを解決するために、巷には両性間の情緒を増進することができる各種の用品が発表されており、当世の現代人に徐々に受け入れられているが、ただ、各種の用品の多くは使用する際、使用者が自らの手によって操作するものが主である。しかし性欲は器官への刺激ですぐに満たされないこともあり、そのため自分でうまく満足に達することが難しい状況が発生している。
この他、一部の用品は電動を用いているが、大多数はモーターの振動を利用して震動またはマッサージ効果を起こすものであって、男女の性交渉を模した状態とはなっていないために、人類の自然な性交渉の状態には到達しておらず、当然、男女の性交渉の要求を満足させることはできていないのである。
【考案の開示】
【考案が解決しようとする課題】
【０００３】
この問題を鑑み、本考案の目的は、情緒面での生活の楽しみを増進させることができ、広く使用されることのできる一種の生理的マッサージ装置を提供することである。
【課題を解決するための手段】
【０００４】
本考案の生理的マッサージ装置には中空の胴体、および当該胴体に形成した開口部を含む本体と、当該胴体内部に組み込まれ、かつ回転することのできる出力軸を含む動力源と、高低の起伏運動を発生させることのできる回転部を含んだピボット軸、および当該回転部と連動する連動軸を含み、当該運動部に連結されて回転することができるように当該胴体内にピボット係合された往復機構と、  当該胴体内部にスライド可能に設置され、かつまた当該連動軸に連結した駆動部品を有し、その駆動部品が当該開口部から外に露出することのできるスライドユニットとが含まれる。
【考案の効果】
【０００５】
これにより、動力源の出力軸受が回転すると、当該連動部品が当該ピボット軸を回転させ、当該ピボット軸の回転部が当該ピボット軸の軸線の周りを偏心回転し、同時にその上に連結された当該連動軸とともに当該スライドユニットを移動させ、それによって当該スライドユニットに当該開口部に向けた直線的な往復運動を起こさせ、かつまた当該スライドユニットにかぶせてある弾力性のある柔らかいカバーを利用して、往復運動の過程において、性器を摩擦することで使用者の性欲が満たされるものである。
【考案を実施するための最良の形態】
【０００６】
本考案に関する前述の、およびその他の技術内容、特徴、効果については、以下の参考図に基づいた五つの比較的良好な実施例の詳細な説明により、はっきりと示される。本考案を詳細に描写する前に、注意すべきこととして、以下に説明する内容の中で、類似の部品は同じ番号で表示していることである。
【０００７】
参考図1、2、3の、本考案の生理的マッサージ装置の第一の比較的良好な実施例は、往復移動を形成することができ、なおかつ軟質材料の構造と組み合わせることができ、このため使用によって性欲を満足させる効果を得ることができるもので、当該生理的マッサージ装置には主に本体（10）、動力源（20）、往復構造（30）、及びスライドユニット（40）が含まれる。
【０００８】
当該本体（10）は中空の胴体（11）、および当該胴体（11）の一つの側または頂端に形成された開口部（12）を含み、かつ当該本体（10）の胴体（11）内部にスライディングピース（13）がスライド可能に設置され、また胴体（11）の後端には底蓋（14）が固定され、さらに前述の動力源（20）と往復機構（30）がスライディングピース（13）と底蓋（14）の間に係合されている。そして胴体（11）の外側には握り部（15）を被せてあり、当該握り部（15）は軟質の防滑素材で作られていることで使用者のグリップ感を高めている。また胴体（11）の開口部（12）とは異なる周縁の内側表面には少なくとも1個の軸方向のスライドレール（110）が形成され、スライドレール（110）はフランジ状を呈している。そして胴体（11）の周縁の外側表面には少なくとも1個の軸方向のスライドレール（111）を形成することができ、当該スライドレール（111）はくぼみ状を呈していて、前述のスライドレール（110）、（111）は共にスライドユニット（40）がスライドするためのものであり、これによってその往復運動の安定性が増す。
【０００９】
当該動力源（20）は当該胴体（11）内部に組み込まれている。当該動力源（20）はモーター（22）または往復運動を行う電磁バルブなどとすることができるが、本考案ではモーターを主な実施例としている。動力源（20）は回転することのできる出力軸（21）、当該出力軸（21）と連接するモーター（22）、当該モーター（22）に連接するバッテリパック（23）、および当該出力軸（21）に連結して同時に連動することができる連動部品（24）を含む。当該連動部品（24）は第一の比較的良好な実施例の中ではチェーンであるが、実際の製造時にはギヤーセットでもよい。
【００１０】
当該往復機構（30）は、当該連動部品（24）と連結して旋動できるように当該胴体（11）の内部にピボット係合され、なおかつまた、高低に起伏した運動を起こすことができる回転部（311）を有する回転軸（31）、および当該回転部（311）に連動する連動軸（32）を含み、連動軸（32）は前述の胴体（11）のスライディングピース（13）に連接されている。本第一の比較的良好な実施例中では、当該ピボット軸（31）はクランクシャフトであり、当該回転部（311）は当該クランクシャフト上のクランク部分に位置している。
【００１１】
また、当該スライドユニット（40）は駆動部品（400）および弾力性のある柔らかいカバー（41）を含み、そのうちの駆動部品（400）の一端は当該胴体（11）の内部に係合され、また、スライディングピース（13）をとおして当該往復機構（30）の連動軸（32）と連結されている。また、駆動部品（400）の周縁の胴体（11）のスライドレール（110）に対応する場所には対応するスライドレール（402）を形成することができ（図4参照）、これによってそのスライドの円滑性が増し、また駆動部品（400）周縁には当該胴体（11）の開口部（12）から外部に露出することのできる連接部（401）を形成し、当該駆動部品（400）が連接部（401）を利用して前述の弾力性のある柔らかいカバー（41）を動かすことができる。弾力性のある柔らかいカバー（41）は胴体（11）の外側を覆っていて、かつ往復運動に対応することができる。本第一の比較的良好な実施例中では当該弾力性のある柔らかいカバー（41）はさらに男性の亀頭を模した摩擦部（42）を有し、さらに一歩進んで摩擦部（42）は粒状突起またはらせん状などを呈している。また、当該弾力性のある柔らかいカバー（41）の内縁部には胴体（11）のスライドレール（111）に対応する場所にスライドレール（410）（図4参照）を形成してもよく、これによってそのスライドの円滑性を増すことができる。
【００１２】
これにより、当該動力源（20）の出力軸（21）が回転している間、当該連動部品（24）につれて当該ピボット軸（31）が旋転し、当該ピボット軸（31）の回転部（311）がピボット軸（31）の軸線の周りを偏心回転し、その上に連結された当該連動軸（32）の動きに連れて当該スライドユニット（40）の駆動部品（400）を同時に移動させることができ、これによって当該駆動部品（400）の動きを連接部（401）に伝えることで外部の弾力性のある柔らかいカバー（41）に直線的な往復運動を起こさせ、当該弾力性のある柔らかいカバー（41）とその摩擦部（42）を利用して、往復運動の過程において女性性器を摩擦することで、女性使用者を生理的な満足に到達させるものである。
【００１３】
このため、女性使用者は自らの手を動かす方法によることなく、生理的な使用効果を満たすことができ、また男女間の情事の円滑性と満足感を増進することができる。
【００１４】
参考図5を用いて、以下に本考案の第二の比較的良好な実施例についてさらに説明を加える。当該第二の比較的良好な実施例と上述の第一の比較的良好な実例はほぼ同じものであるが、その違いは本体（10）の胴体（11）の開口部（12）が頂端に形成されており、かつスライドユニット（40）の駆動部品（400）の頂端と弾力性のある柔らかいカバー（41）が連結しており、前述の往復移動と同様の効果を起こし、使用者の需要を満たすものである。
【００１５】
また、図6、図7は本考案の第三の比較的良好な実施例である。その異なるところは、当該ピボット軸（31）の回転部（311）が１個のカム（312）で（図8A）、当該回転部（311）はまたスターホイール（313）（図8B参照）としてもよく、かつまた当該胴体（11）の頂端が閉鎖状を呈し、なおかつスライドユニット（40）の駆動部品（400）と胴体（11）内部の頂端との間に弾性部品（43）を取り付け、また弾性部品（43）が胴体（11）内部のスライディングピース（13）を底面から支えるようにしており、これによって往復運動と反対向きの動きの際の円滑性が増し、往復運動全体がさらに円滑になり、動作の死点がなくなる。
【００１６】
参照図9を用いて、以下に本考案の第四の比較的良好な実施例をさらに説明する。当該第四の比較的良好な実施例と上述の第一の比較的良好な実施例はほぼ同じであるが、その違いは当該スライドユニット（40）の駆動部品（400）を直接弾力性のある柔らかいカバー（41）に変え、弾力性のある柔らかいカバー（41）が男性性器を模した構造を呈しており、その端部が胴体（11）の頂端の開口部（12）から露出しており、これによってさらに女性使用者の生理的欲求を満足させるものである。
【００１７】
参照図10および11を用いて、以下に本考案の第五の比較的良好な実施例を説明する。当該第五の比較的良好な実施例と上述の第四の比較的良好な実施例はほぼ同じであるが、その違いは当該スライドユニット（40）の弾力性のある柔らかいカバー（41）の中に軸方向の中央孔（44）を形成し、当該中央孔（44）の一端が当該開口部（12）から露出し、当該弾力性のある柔らかいカバー（41）の中央孔（44）が女性性器を模した構造を形成しており、これによって本考案は男性使用者の性的欲求を満足させることができる。
【００１８】
特記すべきは当該本体（10）に設置された当該胴体（11）内部のスライディングピース（13）で、当該スライディングピース（13）は当該往復機構（30）のピボット軸（31）に連動され、かつ一個の突き出たスタンドオフ（131）を有し、また当該スライドユニット（40）はさらに一個の当該スタンドオフに結合するための結合孔（45）を有し、上述の各比較的良好な実施例中のスライドユニット（40）が当該スタンドオフ（131）と結合孔（45）の構造によって結合または取り外しができる点で、本考案の応用範囲を大きく広げ、男性にも女性にも適し、なおかつ取り外すことによる収納性の向上効果も上げることができるのである。
【００１９】
上述の五つの比較的良好な実施例からわかるように、本考案は気軽で便利な方法で男女の性欲を確実に満足させることができ、男女感の情事をスムーズに進め、情事をそれ以上型にはまったいい加減なものにしないためのよい選択肢であり、より納得のいく感覚と効果をもたらすことができるものである。
【００２０】
上記は本考案のいくつかの比較的良好な実施例を述べたのみであって、これによって本考案の実施の範囲を限定することはできない。また、どの考案においても実用新案登録請求の範囲および説明書に記載の内容の簡単な等価の変化および修飾も、すべて本考案の実用新案登録請求の範囲に含まれるものである。
【図面の簡単な説明】
【００２１】
【図１】本考案の生理的マッサージ装置の第一の比較的良好な実施例の構造の立体分解図である。
【図２】上述の当該第一の比較的良好な実施例の外観を説明する立体外観図である。
【図３】当該第一の比較的良好な実施例の縦断面略図である。
【図４】当該第一の比較的良好な実施例を説明する、図3中の4-4の横断面略図によるスライドレール略図である。
【図５】本考案の生理的マッサージ装置の第二の比較的良好な実施例の略図である。
【図６】本考案の生理的マッサージ装置の第三の比較的良好な実施例の構造を説明する立体分解図である。
【図７】当該第三の比較的良好な実施例の縦断面を説明する略図である。
【図８Ａ】当該第三の比較的良好な実施例中の、往復機構の回転部をカムにすることができることを説明する、カムの略図である。
【図８Ｂ】当該第三の比較的良好な実施例中の、往復機構の回転部をスターホイールにすることができることを説明する、スターホイールの略図である。
【図９】本考案の生理的マッサージ装置の第四の比較的良好な実施例の略図である。
【図１０】本考案の生理的マッサージ装置の第五の比較的良好な実施例の略図である。
【図１１】本考案の生理的マッサージ装置の第五の比較的良好な実施例の外観を示す立体外観図である。
【符号の説明】
【００２２】
（10）  本体                          （31）  ピボット軸
（11）  胴体                          （311） 回転部
（110） スライドレール                （312） カム
（111） スライドレール                （313） スターホイール
（12）  開口部                        （32）  連動軸
（13）  スライディングピース          （40）  スライドユニット
（131） スタンドオフ                  （400） 駆動部品
（14）  底蓋                          （401） 連接部
（15）  握り部                        （402） スライドレール
（20）  動力源                        （41）  弾力性のある柔らかいカバー
（21）  出力軸                        （410） スライドレール
（22）  モーター                      （42）  摩擦部
（23）  バッテリパック                （43）  弾性部品
（24）  連動部品                      （44）  中央孔
（30）  往復機構                      （45）  結合孔
【図１】
0003144470.tif 000003
【図２】
0003144470.tif 000004
【図３】
0003144470.tif 000005
【図４】
0003144470.tif 000006
【図５】
0003144470.tif 000007
【図６】
0003144470.tif 000008
【図７】
0003144470.tif 000009
【図８Ａ】
0003144470.tif 000010
【図８Ｂ】
0003144470.tif 000011
【図９】
0003144470.tif 000012
【図１０】
0003144470.tif 000013
【図１１】
0003144470.tif 000014
【手続補正書】
【提出日】平成19年5月24日(2007.5.24)
【手続補正１】
【補正対象書類名】明細書
【補正対象項目名】０００１
【補正方法】変更
【補正の内容】
【０００１】
本考案は生理的マッサージ装置に関するもので、特に直線方向の自動的な往復運動によって、使用者を性的に高揚させ、自ら満足させることが可能な生理的マッサージ装置を指す。
【手続補正２】
【補正対象書類名】明細書
【補正対象項目名】０００２
【補正方法】変更
【補正の内容】
【０００２】
現代人は業務多忙や心理的ストレスにより、心身共に疲労した状態にある。
上述のような悩みを解決するために、巷には両性間の情緒を増進することができる各種の用品が発表されており、当世の現代人に徐々に受け入れられているが、ただ、各種の用品の多くは使用する際、使用者が自らの手によって操作するものが主である。
この他、一部の用品は電動を用いているが、大多数はモーターの振動を利用して震動またはマッサージ効果を起こす。
【手続補正３】
【補正対象書類名】明細書
【補正対象項目名】０００５
【補正方法】変更
【補正の内容】
【０００５】
これにより、動力源の出力軸受が回転すると、当該連動部品が当該ピボット軸を回転させ、当該ピボット軸の回転部が当該ピボット軸の軸線の周りを偏心回転し、同時にその上に連結された当該連動軸とともに当該スライドユニットを移動させ、それによって当該スライドユニットに当該開口部に向けた直線的な往復運動を起こさせ、かつまた当該スライドユニットにかぶせてある弾力性のある柔らかいカバーを利用する。
【手続補正４】
【補正対象書類名】明細書
【補正対象項目名】０００７
【補正方法】変更
【補正の内容】
【０００７】
参考図1、2、3の、本考案の生理的マッサージ装置の第一の比較的良好な実施例は、往復移動を形成することができ、なおかつ軟質材料の構造と組み合わせることができ、当該生理的マッサージ装置には主に本体（10）、動力源（20）、往復構造（30）、及びスライドユニット（40）が含まれる。
【手続補正５】
【補正対象書類名】明細書
【補正対象項目名】００１２
【補正方法】変更
【補正の内容】
【００１２】
これにより、当該動力源（20）の出力軸（21）が回転している間、当該連動部品（24）につれて当該ピボット軸（31）が旋転し、当該ピボット軸（31）の回転部（311）がピボット軸（31）の軸線の周りを偏心回転し、その上に連結された当該連動軸（32）の動きに連れて当該スライドユニット（40）の駆動部品（400）を同時に移動させることができ、これによって当該駆動部品（400）の動きを連接部（401）に伝えることで外部の弾力性のある柔らかいカバー（41）に直線的な往復運動を起こさせ、当該弾力性のある柔らかいカバー（41）とその摩擦部（42）を利用する。
【手続補正６】
【補正対象書類名】明細書
【補正対象項目名】００１３
【補正方法】変更
【補正の内容】
【００１３】
このため、女性使用者は自らの手を動かす方法によることがない。
【手続補正７】
【補正対象書類名】明細書
【補正対象項目名】００１６
【補正方法】変更
【補正の内容】
【００１６】
参照図9を用いて、以下に本考案の第四の比較的良好な実施例をさらに説明する。当該第四の比較的良好な実施例と上述の第一の比較的良好な実施例はほぼ同じであるが、その違いは当該スライドユニット（40）の駆動部品（400）を直接弾力性のある柔らかいカバー（41）に変え、弾力性のある柔らかいカバー（41）が男性性器を模した構造を呈しており、その端部が胴体（11）の頂端の開口部（12）から露出している。
【手続補正８】
【補正対象書類名】明細書
【補正対象項目名】００１７
【補正方法】変更
【補正の内容】
【００１７】
参照図10および11を用いて、以下に本考案の第五の比較的良好な実施例を説明する。当該第五の比較的良好な実施例と上述の第四の比較的良好な実施例はほぼ同じであるが、その違いは当該スライドユニット（40）の弾力性のある柔らかいカバー（41）の中に軸方向の中央孔（44）を形成し、当該中央孔（44）の一端が当該開口部（12）から露出し、当該弾力性のある柔らかいカバー（41）の中央孔（44）が女性性器を模した構造を形成している。
【手続補正９】
【補正対象書類名】明細書
【補正対象項目名】００１９
【補正方法】削除
【補正の内容】
【手続補正書】
【提出日】平成19年7月12日(2007.7.12)
【手続補正１】
【補正対象書類名】明細書
【補正対象項目名】０００１
【補正方法】変更
【補正の内容】
【０００１】
本考案は生理的マッサージ装置に関するもので、特に直線方向の自動的な往復運動をする生理的マッサージ装置を指す。
【手続補正書】
【提出日】平成20年6月27日(2008.6.27)
【手続補正１】
【補正対象書類名】図面
【補正対象項目名】図１
【補正方法】変更
【補正の内容】
【図１】
0003144470.tif 000015
【手続補正２】
【補正対象書類名】図面
【補正対象項目名】図２
【補正方法】変更
【補正の内容】
【図２】
0003144470.tif 000016
【手続補正３】
【補正対象書類名】図面
【補正対象項目名】図３
【補正方法】変更
【補正の内容】
【図３】
0003144470.tif 000017
【手続補正４】
【補正対象書類名】図面
【補正対象項目名】図５
【補正方法】変更
【補正の内容】
【図５】
0003144470.tif 000018
【手続補正５】
【補正対象書類名】図面
【補正対象項目名】図６
【補正方法】変更
【補正の内容】
【図６】
0003144470.tif 000019
【手続補正６】
【補正対象書類名】図面
【補正対象項目名】図７
【補正方法】変更
【補正の内容】
【図７】
0003144470.tif 000020
【手続補正７】
【補正対象書類名】図面
【補正対象項目名】図９
【補正方法】変更
【補正の内容】
【図９】
0003144470.tif 000021
【手続補正８】
【補正対象書類名】図面
【補正対象項目名】図１０
【補正方法】変更
【補正の内容】
【図１０】
0003144470.tif 000022
【手続補正９】
【補正対象書類名】図面
【補正対象項目名】図１１
【補正方法】変更
【補正の内容】
【図１１】
0003144470.tif 000023
【手続補正書】
【提出日】平成20年7月24日(2008.7.24)
【手続補正１】
【補正対象書類名】図面
【補正対象項目名】図１
【補正方法】変更
【補正の内容】
【図１】
0003144470.tif 000024
【手続補正２】
【補正対象書類名】図面
【補正対象項目名】図２
【補正方法】変更
【補正の内容】
【図２】
0003144470.tif 000025
【手続補正３】
【補正対象書類名】図面
【補正対象項目名】図３
【補正方法】変更
【補正の内容】
【図３】
0003144470.tif 000026
【手続補正４】
【補正対象書類名】図面
【補正対象項目名】図５
【補正方法】変更
【補正の内容】
【図５】
0003144470.tif 000027
【手続補正５】
【補正対象書類名】図面
【補正対象項目名】図６
【補正方法】変更
【補正の内容】
【図６】
0003144470.tif 000028
【手続補正６】
【補正対象書類名】図面
【補正対象項目名】図７
【補正方法】変更
【補正の内容】
【図７】
0003144470.tif 000029
【手続補正７】
【補正対象書類名】図面
【補正対象項目名】図９
【補正方法】変更
【補正の内容】
【図９】
0003144470.tif 000030
【手続補正８】
【補正対象書類名】図面
【補正対象項目名】図１０
【補正方法】変更
【補正の内容】
【図１０】
0003144470.tif 000031
【手続補正９】
【補正対象書類名】図面
【補正対象項目名】図１１
【補正方法】変更
【補正の内容】
【図１１】
0003144470.tif 000032